(57)【要約】【課題】閲覧データ等の配信データを活用して、この配信データ中の地点情報に含まれる文字列データを地図データとの関連にて経路案内に利用するようにした経路案内装置及び経路案内方法を提供する。【解決手段】情報センターＣは、ウェブシステムＷからネットワークＩを介し閲覧データを受信し、この閲覧データに基づき地点情報を検索し、当該地点情報に含まれる地点を表す文字列データを所望地図データにリンク可能とするように上記配信データを修正する。また、当該情報センターＣは、ナビゲーションシステムＮからリンク要求されたとき、上記修正閲覧データを所望地図データにリンクして経路案内用リンクデータとして作成しナビゲーションシステムＮに送信する。【選択図】    図１
2005043066.tif 000002
【特許請求の範囲】
【請求項１】
配信データを記憶してなる記憶装置を備える配信システム及び情報センターとの間においてネットワークを介し通信により接続される経路案内装置であって、
前記配信データの配信要求に基づき当該配信データの地点情報の検索命令を送信する検索命令送信手段と、
修正配信データを受信したときこの修正配信データを表示する修正配信データ表示手段と、
前記修正配信データ中の前記地点情報と所望地図データとのリンクを要求するときこのリンク要求を送信するリンク要求送信手段と、
経路案内用リンクデータを受信したときこのリンクデータを表示するリンクデータ表示手段とを備え、
前記情報センターは、
前記検索命令送信手段から前記ネットワークを介し前記地点情報の検索命令を受信したとき前記配信データの要求を前記ネットワークを介し前記配信システムに送信する配信データ要求送信手段と、
前記配信システムからその記憶装置の配信データを前記ネットワークを介し受信したとき当該配信データに基づき前記地点情報を検索する地点情報検索手段と、
この地点情報検索手段の検索に基づき前記地点情報中の地点を特定する文字列データを検出したとき、当該地点情報の前記所望地図データとのリンクを可能にするように前記配信データを修正し前記修正配信データとして前記ネットワークを介し前記修正配信データ表示手段に送信する配信データ修正送信手段と、
前記リンク要求送信手段からの前記ネットワークを介するリンク要求の受信に基づき前記修正配信データをその地点情報にて前記所望地図データとリンクさせて前記リンクデータを作成して前記ネットワークを介し送信するリンクデータ作成送信手段とを備える経路案内装置。
【請求項２】
配信データを記憶してなる記憶装置を備える配信システム及び情報センターとの間においてネットワークを介し通信により接続される経路案内装置であって、
前記配信データの配信要求に基づき当該配信データの地点情報の検索命令を送信する検索命令送信手段と、
前記配信データの配信要求に基づき前記配信システムからその記憶装置の配信データを前記ネットワークを介し受信する配信データ受信手段と、
修正配信データを受信したときこの修正配信データを表示する修正配信データ表示手段と、
前記修正配信データ中の前記地点情報と所望地図データとのリンクを要求するときこのリンク要求を送信するリンク要求送信手段と、
経路案内用リンクデータを受信したときこのリンクデータを表示するリンクデータ表示手段とを備え、
前記情報センターは、
前記配信データ受信手段から前記ネットワークを介し前記配信データを受信したとき当該配信データに基づき前記地点情報を検索する地点情報検索手段と、
この地点情報検索手段の検索に基づき前記地点情報中の地点を特定する文字列データを検出したとき、当該地点情報の所望地図データとのリンクを可能にするように前記配信データを修正し前記修正配信データとして前記ネットワークを介し前記修正配信データ表示手段に送信する配信データ修正送信手段と、
前記リンク要求送信手段からの前記ネットワークを介するリンク要求の受信に基づき前記修正配信データをその地点情報にて前記所望地図データとリンクさせて前記リンクデータを作成し前記ネットワークを介し送信するリンクデータ作成送信手段とを備える経路案内装置。
【請求項３】
前記配信データ受信手段が前記配信データを受信したときこの配信データを表示する配信データ表示手段と、
この配信データ表示手段の表示に基づき前記配信データの地点情報の検索を要求する地点情報検索要求手段とを備えて、
前記検索命令送信手段は、前記配信データの配信要求に代えて、前記地点情報検索要求手段の検索要求に基づき、前記配信データの地点情報の検索命令を送信することを特徴とする請求項１或いは２に記載の経路案内装置。
【請求項４】
ウェブシステム等の配信システムからネットワークを介し閲覧データ等の配信データを受信し、
この配信データに基づき地点情報を検索し、
当該地点情報に含まれる地点を表す文字列データを所望地図データにリンク可能とするように前記配信データを修正し、
リンク要求があったとき前記修正配信データを前記所望地図データにリンクして経路案内用リンクデータとするようにした経路案内方法。
【発明の詳細な説明】
【０００１】
【発明の属する技術分野】
本発明は、ナビゲーションシステムや携帯電話等の経路案内装置及び経路案内方法に関する。
【０００２】
【従来の技術】
従来、例えば、自動車用ナビゲーション装置としては、下記特許文献１に開示されたものがある。このナビゲーション装置は、自動車の経路案内表示にあたり、インターネットのホームページ情報をも利用するようになっている。ここで、当該ホームページ情報は、文字列、画像や音響等の情報で構成されている。
【０００３】
【特許文献１】
特開２００２−３２３３２９号公報
【０００４】
【発明が解決しようとする課題】
ところで、上記ナビゲーション装置では、ホームページ情報の利用にあたり、常に、適宜な変換ツールに依存しなければならない。例えば、ユーザがホームページ上の文字列情報を利用して当該文字列情報に含まれる目的地点を特定するためには、当該ユーザの住所、電話番号、施設名称等のユーザ情報を、ナビゲーション装置のコンピュータに格納してある特定の変換ツールに入力しなければならない。
【０００５】
しかし、文字列情報を利用する毎に、当該情報を変換ツールに入力する作業は繁雑で面倒であるという不具合を招く。また、ユーザ情報の誤入力のために、ナビゲーション装置では目的地点を検索できず、当該文字列情報を直接メモとして記録するという事態を招く不具合もある。
【０００６】
そこで、本発明は、以上のようなことに対処するため、閲覧データ等の配信データを活用して、この配信データ中の地点情報に含まれる文字列データを地図データとの関連にて経路案内に利用するようにした経路案内装置及び経路案内方法を提供することを目的とする。
【０００７】
【課題を解決するための手段】
上記課題の解決にあたり、本発明に係る経路案内装置は、請求項１の記載によれば、配信データを記憶してなる記憶装置（１１０、１４０）を備える配信システム（Ｗ、Ｓ）及び情報センター（Ｃ）との間においてネットワーク（Ｉ）を介し通信により接続されるようになっている。
【０００８】
当該経路案内装置は、
上記配信データの配信要求に基づき当該配信データの地点情報の検索命令を送信する検索命令送信手段（３００）と、
修正配信データを受信したときこの修正配信データを表示する修正配信データ表示手段（３１０、３１１、６０）と、
上記修正配信データ中の上記地点情報と所望地図データとのリンクを要求するときこのリンク要求を送信するリンク要求送信手段（３２１）と、
経路案内用リンクデータを受信したときこのリンクデータを表示するリンクデータ表示手段（３３１、６０）とを備える。
【０００９】
ここで、情報センターは、
検索命令送信手段からネットワークを介し上記地点情報の検索命令を受信したとき上記配信データの要求をネットワークを介し配信システムに送信する配信データ要求送信手段（４００、４０１）と、
配信システムからその記憶装置の配信データをネットワークを介し受信したとき当該配信データに基づき上記地点情報を検索する地点情報検索手段（４１０、４１１、４２０）と、
この地点情報検索手段の検索に基づき上記地点情報中の地点を特定する文字列データを検出したとき、当該地点情報の上記所望地図データとのリンクを可能にするように上記配信データを修正し上記修正配信データとしてネットワークを介し修正配信データ表示手段に送信する配信データ修正送信手段（４２１、４２２）と、
リンク要求送信手段からのネットワークを介するリンク要求の受信に基づき上記修正配信データをその地点情報にて上記所望地図データとリンクさせて上記リンクデータを作成しネットワークを介し送信するリンクデータ作成送信手段（４３２、４３３）とを備える。
【００１０】
これによれば、検索命令送信手段が配信データの配信要求に基づき当該配信データの地点情報の検索命令を送信すると、配信データ要求送信手段は、当該検索命令をネットワークを介し受信して、上記配信データの要求をネットワークを介し配信システムに送信する。
【００１１】
すると、地点情報検索手段は、当該配信システムからその記憶装置の配信データをネットワークを介し受信したとき、当該配信データに基づき上記地点情報を検索する。
【００１２】
そして、配信データ修正送信手段が、当該地点情報検索手段の検索に基づき上記地点情報中の地点を特定する文字列データを検出したとき、当該地点情報の上記所望地図データとのリンクを可能にするように上記配信データを修正し修正配信データとしてネットワークを介し修正配信データ表示手段に送信する。
【００１３】
これに伴い、修正配信データ表示手段は、上記修正配信データを受信したときこの修正配信データを表示する。
【００１４】
そして、リンク要求送信手段が上記修正配信データ中の上記地点情報と所望地図データとのリンクを要求するときこのリンク要求を送信すると、リンクデータ作成手段は、リンク要求送信手段からのネットワークを介するリンク要求の受信に基づき上記修正配信データをその地点情報にて上記所望地図データとリンクさせて経路案内用リンクデータを作成しネットワークを介し送信する。
【００１５】
この送信に伴い、リンクデータ表示手段は、上記リンクデータを受信したときこのリンクデータを表示する。
【００１６】
このように、配信データにおいて文字列データを含む地点情報を所望地図データにリンクさせて経路案内用リンクデータとして表示するようにしたので、配信データを利用して、その地点情報を経路案内に有効に活用することができる。
【００１７】
ここで、上述のように配信データの配信要求及びリンク要求があれば、上記リンクデータが自動的に作成されて送信される。換言すれば、ユーザとしては、特定の検索ツール等への面倒な入力操作を行うことなく、配信データの配信要求及びリンク要求だけすればよく、これによって、情報センターで自動的に上記リンクデータが作成されて送信される。従って、上記リンクデータの確保にあたり、ユーザにとって面倒な手入力操作という作業負荷が軽減され得る。
【００１８】
また、本発明に係る経路案内装置は、請求項２の記載によれば、
配信データを記憶してなる記憶装置（１１０、１４０）を備える配信システム（Ｗ、Ｓ）及び情報センター（Ｃ）との間においてネットワーク（Ｉ）を介し通信により接続されるようになっている。
【００１９】
当該経路案内装置は、
上記配信データの配信要求に基づき当該配信データの地点情報の検索命令を送信する検索命令送信手段（３００）と、
上記配信データの配信要求に基づき配信システムからその記憶装置の配信データをネットワークを介し受信する配信データ受信手段（３０１、５１０）と、
修正配信データを受信したときこの修正配信データを表示する修正配信データ表示手段（３１０、３１１、６０）と、
上記修正配信データ中の上記地点情報と所望地図データとのリンクを要求するときこのリンク要求を送信するリンク要求送信手段（３２１）と、
経路案内用リンクデータを受信したときこのリンクデータを表示するリンクデータ表示手段（３３１、６０）とを備える。
【００２０】
ここで、情報センターは、
配信データ受信手段からネットワークを介し上記配信データを受信したとき当該配信データに基づき上記地点情報を検索する地点情報検索手段（４０２、３５１、４１１、４２０）と、
この地点情報検索手段の検索に基づき上記地点情報中の地点を特定する文字列データを検出したとき、当該地点情報の所望地図データとのリンクを可能にするように上記配信データを修正し上記修正配信データとしてネットワークを介し修正配信データ表示手段に送信する配信データ修正送信手段（４２１、４２２）と、
リンク要求送信手段からのネットワークを介するリンク要求の受信に基づき上記修正配信データをその地点情報にて上記所望地図データとリンクさせて上記リンクデータを作成しネットワークを介し送信するリンクデータ作成送信手段（４３２、４３３）とを備える。
【００２１】
このように、請求項１に記載の発明とは異なり、上記配信データの配信要求に基づき配信システムからその記憶装置の配信データをネットワークを介し受信する配信データ受信手段を設けて、地点情報検索手段により、配信データ受信手段からネットワークを介し上記配信データを受信したとき当該配信データに基づき上記地点情報を検索するようにしても、請求項１に記載の発明と同様の作用効果を達成できる。
【００２２】
また、本発明は、請求項３の記載によれば、請求項１或いは２に記載の経路案内装置において、配信データ受信手段が上記配信データを受信したときこの配信データを表示する配信データ表示手段（３４１）と、
この配信データ表示手段の表示に基づき上記配信データの地点情報の検索を要求する地点情報検索要求手段（３６０）とを備えて、
検索命令送信手段は、上記配信データの配信要求に代えて、地点情報検索要求手段の検索要求に基づき、上記配信データの地点情報の検索命令を送信することを特徴とする。
【００２３】
これによれば、請求項１或いは２に記載の発明とは異なり、地点情報検索要求手段の検索要求をしたときにのみ、配信データの地点情報の検索命令が送信される。換言すれば、ユーザが地点情報検索要求手段により検索要求をしなければ、地点情報の検索命令はされず、従って、配信データの地点情報の検索もなされない。よって、余分な処理を行うことなく、ユーザにとって必要な場合にのみ、配信データを利用した地点情報の検索やリンクデータの作成等がなされ、請求項１或いは２に記載の発明の作用効果が達成され得る。
【００２４】
また、本発明に係る経路案内方法は、請求項４の記載によれば、
ウェブシステム等の配信システム（Ｗ、Ｓ）からネットワーク（Ｉ）を介し閲覧データ等の配信データを受信し、
この配信データに基づき地点情報を検索し、
当該地点情報に含まれる地点を表す文字列データを所望地図データにリンク可能とするように上記配信データを修正し、
リンク要求があったとき上記修正配信データを上記所望地図データにリンクして経路案内用リンクデータとするようにする。このリンクデータを表示すれば、請求項１或いは２に記載の発明と同様の作用効果を達成し得る。
【００２５】
なお、上記各手段の括弧内の符号は、後述する実施形態に記載の具体的手段との対応関係を示すものである。
【００２６】
【発明の実施の形態】
以下、本発明の各実施形態を図面により説明する。
（第１実施形態）
図１は、本発明が自動車用ナビゲーションシステムＮに適用される例を示している。以下、このナビゲーションシステムＮの構成につき、情報センターＣ及びウェブシステムＷとの関係において説明する。
【００２７】
ナビゲーションシステムＮは、現在位置検出装置１０を備えており、この現在位置検出装置１０は、ＧＰＳ受信装置であって、衛星航法システム（ＧＰＳともいう）の人工衛星から送信される電波を受信して、当該自動車の現在位置を検出する。
【００２８】
また、当該ナビゲーションシステムＮは、入力装置２０を備えており、この入力装置２０は、携帯用リモートコントローラであって、その操作により、必要な情報をコンピュータ３０（後述する）の受信部（図示しない）に送信により入力する。なお、リモートコントローラに代えて、例えば、表示装置６０の表示パネル（後述する）にその表示画面側から添着したタッチパネル、キーボード、マウス、ジョイスティックや音声認識装置を入力装置２０としてもよい。
【００２９】
また、当該ナビゲーションシステムＮは、コンピュータ３０、記憶装置４０、無線通信装置５０及び表示装置６０を備えている。コンピュータ３０は、図２にて示すフローチャートに従いナビゲーションプログラムを実行し、また、図３にて示すフローチャートに従いブラウザプログラムを実行する。当該コンピュータ３０は、上記ナビゲーションプログラムの実行中において、現在位置検出装置１０の検出出力、入力装置２０の操作出力、記憶装置４０の出力や無線通信装置５０の出力に基づき、当該自動車の地図表示、案内経路探索や経路案内等の処理を行い、また、上記ブラウザプログラムの実行中において、入力装置２０の操作出力に基づく閲覧データの閲覧要求処理や無線通信装置５０の受信データに基づく表示処理等の各種処理を行う。
【００３０】
本第１実施形態において、上記受信部は、コンピュータ３０に内蔵のものに限らず当該コンピュータ３０に外付けしたものであってもよい。当該コンピュータ３０は、当該自動車のイグニッションスイッチを介しバッテリから給電されて作動して、上記ナビゲーションプログラムの実行を開始し、また、入力装置２０による閲覧データの閲覧要求操作に基づき、上記ブラウザプログラムの実行を開始する。なお、上記ナビゲーションプログラム及ブラウザプログラムは、コンピュータ３０のＲＯＭに、当該コンピュータ３０により読み出し可能に予め書き込まれている。
【００３１】
記憶装置４０は、ハードディスクであって、一連の地図データをコンピュータ３０により読み出し可能に地図データベースとして記憶している。無線通信装置５０は、情報センターＣやウェブシステムＷからの送信データをネットワークＩを介し受信してコンピュータ３０に出力し、また、コンピュータ３０の出力データをネットワークＩを介し情報センターＣやウェブシステムＷに送信する。なお、ネットワークＩは、例えば、インターネットをいう。
【００３２】
表示装置６０は、コンピュータ３０による制御のもと、当該自動車において必要なデータを情報として表示する。なお、表示装置６０は、その液晶パネル等の表示パネルにて、当該自動車の車室内前壁に設けたインストルメントパネルに配設されている。
【００３３】
情報センターＣは、ナビゲーションシステムＮの提供企業により適宜な場所に設置されており、この情報センターＣは、コンピュータからなるサーバ７０（以下、センターサーバ７０ともいう）、記憶装置８０及び無線通信装置９０により構成されている。センターサーバ７０は、図４にて示すフローチャートに従い、情報センタープログラムを実行し、この実行中において、記憶装置８０からのデータの無線通信装置９０への出力処理や無線通信装置９０からのデータの当該記憶装置８０への書き込み処理等の各種の処理を行う。
【００３４】
記憶装置８０は、ハードディスクであって、上記情報センタープログラムをサーバ７０により読み出し可能に記憶している。無線通信装置９０は、ナビゲーションシステムＮの無線通信装置５０或いはウェブシステムＷの無線通信装置１２０からネットワークＩを介しデータを受信してサーバ７０に出力し、また、このセンターサーバ７０からのデータをネットワークＩを介しナビゲーションシステムＮの無線通信装置５０やウェブシステムＷの無線通信装置１２０に送信する。
【００３５】
ウェブシステムＷは、コンピュータであるサーバ１００（以下、ウェブサーバ１００ともいう）と、記憶装置１１０と、無線通信装置１２０とを備えている。ウェブサーバ１００は、図５にて示すフローチャートに従い、ウェブサーバプログラムを実行し、この実行中において、閲覧データの送信処理等を行う。
【００３６】
記憶装置１１０には、上記ウェブサーバプログラムが、種々の閲覧データを表す閲覧データベースと共に、ウェブサーバ１００により読み出し可能に記憶されている。無線通信装置１２０は、ナビゲーションシステムＮの無線通信装置５０或いは情報センターＣの無線通信装置９０からのデータをネットワークＷを介し受信してウェブサーバ１００に出力し、また、このウェブサーバ１００からのデータをネットワークＷを介し無線通信装置５０或いは無線通信装置９０に送信する。
【００３７】
以上のように構成した本第１実施形態において、当該自動車が走行を開始したものとする。また、ナビゲーションシステムＮにおいて、コンピュータ３０は、図２のフローチャートに従いナビゲーションプログラムの実行を開始する。現段階において、入力装置２０による表示要求がなければ、図２のステップ２００においてＮＯとの判定が繰り返される。
【００３８】
また、情報センターＣでは、センターサーバ７０が、図４のフローチャートに従い、情報センタープログラムを実行している。現段階において、ナビゲーションシステムＮからの地点情報検索命令がなく、ステップ４００においてＮＯとの判定が繰り返されているものとする。また、ウェブシステムＷにおいては、ウェブサーバ１００が、図５のフローチャートに従いウェブサーバプログラムを実行している。現段階では、情報センターＣからの閲覧データの要求がなく、ステップ５００においてＮＯとの判定が繰り返されているものとする。
【００３９】
上述のようにステップ２００（図２参照）でのＮＯとの判定の繰り返し中において、当該自動車の乗員であるユーザが入力装置２０の操作により所望の地図の表示要求をコンピュータ３０に入力すると、この表示要求入力に基づきステップ２００においてＹＥＳと判定される。然る後、ステップ２１０において、上記所望の地図を表す地図データ（以下、所望地図データともいう）の記憶装置４０からの読み出し処理がなされる。これに伴い、上記所望地図データが記憶装置４０の地図データベースから読み出される。すると、当該ステップ２１０において、上記所望の地図の表示処理がなされる。このため、表示装置６０が、その表示パネルにて、上記所望の地図データに基づき所望の地図を表示する。
【００４０】
上述のようにステップ２１０での処理が終了すると、ステップ２２０において、現在位置検出装置１０による検出現在位置及び入力装置２０による入力目的地に基づき当該自動車の案内経路探索処理がなされる。ついで、ステップ２３０において、当該案内経路探索処理により探索された案内経路が表示装置６０の表示パネルに表示されることで、当該自動車の経路案内処理がなされる。従って、乗員は当該自動車を上記案内経路に沿い走行させる。
【００４１】
このような走行状態において、ユーザが入力装置２０の操作により所望のホームページアドレスに基づきホームページを表す閲覧データの閲覧要求（図６参照）をコンピュータ３０に入力すると、当該コンピュータ３０は、図３のフローチャートに従い、ブラウザプログラムの実行を開始する。そして、ステップ３００において、閲覧データの地点情報検索命令を情報センターＣに送信する処理がなされる（図６参照）。これに伴い、当該地点情報検索命令が、コンピュータ３０から無線通信装置５０及びネットワークＩを介して情報センターＣの無線通信装置９０に送信される。
【００４２】
しかして、無線通信装置９０が上記地点情報検索命令を受信してセンターサーバ７０に出力すると、このセンターサーバ７０は、情報センタープログラムのステップ４００（図４参照）において、ＹＥＳと判定し、ステップ４０１において、ウェブシステムＷに対する上記閲覧データの要求処理を行う（図６参照）。このため、当該閲覧データの要求が情報センターＣのセンターサーバ７０から無線通信装置９０及びネットワークＩを介しウェブシステムＷの無線通信装置１２０に送信される。
【００４３】
これに伴い、無線通信装置１２０が上記閲覧データの要求を受信してウェブサーバ１００に出力すると、このウェブサーバ１００は、ステップ５００（図５参照）にてＹＥＳと判定し、ステップ５１０において、上記所望のホームページアドレスで特定される閲覧データ（図７参照）の送信処理を行う（図６参照）。このため、上記所望のホームページアドレスで特定される閲覧データがウェブサーバ１００により記憶装置１１０の閲覧データベースから読み出されて無線通信装置１２０及びネットワークＩを介して情報センターＣの無線通信装置９０に送信される。
【００４４】
しかして、無線通信装置９０が上記閲覧データを受信してセンターサーバ７０に出力すると、このセンターサーバ７０は、ステップ４１０（図４参照）にてＹＥＳと判定し、ステップ４１１において、当該閲覧データに基づき地点情報の検索処理を行う（図６参照）。この検索処理に基づき、ユーザの意図する目的地点に関する文字列データ（図７にて符号ａ参照）が検出されると、ステップ４２０にてＹＥＳと判定される（図６参照）。
【００４５】
ついで、図４のステップ４２１において、上記検出文字列データを含む該当地点情報（図７にて符号Ａ参照）が地図データベースにおいて上記所望地図データとリンクし得るように上記閲覧データを修正する処理がなされる（図６参照）。ここで、上記リンクは、例えば、図８にて、上記文字列データのうち「××館」及び「○○美術館」の各文字にアンダーラインｂを付すことをいう。
【００４６】
しかして、このように修正された閲覧データ（図８参照）の送信処理が、ステップ４２２においてなされると、当該修正閲覧データは、センターサーバ７０から無線通信装置９０及びネットワークＩを介しナビゲーションシステムＮの無線通信装置５０に送信される（図６参照）。
【００４７】
この無線通信装置５０が上記修正閲覧データを受信してコンピュータ３０に入力すると、このコンピュータ３０は、ステップ３１０（図３参照）にて、ＹＥＳと判定し、ステップ３１１にて、上記修正閲覧データの表示処理をする（図６参照）。これに伴い、表示装置６０は、コンピュータ３０からの上記修正閲覧データを表示パネルにて表示する。これにより、図７の閲覧データから上述のように修正された閲覧データが、図８にて示すごとく、表示される。
【００４８】
ここで、ユーザが入力装置２０の操作によりリンク要求をコンピュータ３０に入力すると、このリンク要求は、入力装置２０の操作により、表示装置６０の表示画面上にて上記アンダーラインｂを付してある文字をクリックすることでなされる。また、当該リンク要求は、上記修正閲覧データ中の地点情報Ａを上記所望地図データとリンクさせることを要求することを意味する。
【００４９】
しかして、ステップ３２０（図３参照）において、上記クリックに基づきＹＥＳと判定され、ステップ３２１において、情報センターＣへの上記リンク要求の送信処理がなされる（図６参照）。これに伴い、当該リンク要求がコンピュータ３０から無線通信装置５０及びネットワークＩを介し情報センターＣの無線通信装置９０に送信される。
【００５０】
しかして、無線通信装置９０が、上記リンク要求を受信してセンターサーバ７０に入力すると、ステップ４３０（図４参照）において、リンク要求の受信に基づきＹＥＳと判定される。すると、ステップ４３１において、上記所望地図データの記憶装置８０の地図データベースからの検索処理がなされる。
【００５１】
そして、当該所望地図データが、ステップ４３２において、ステップ４２１での修正閲覧データとリンク処理（図６参照）されて、経路案内用リンクデータ（図９参照）として作成され、ステップ４３３にて、当該リンクデータの送信処理がなされる（図６参照）。このため、当該リンクデータは、センターサーバ７０から無線通信装置９０及びネットワークＷを介しナビゲーションシステムＮの無線通信装置５０に送信される。
【００５２】
この無線通信装置５０が上記リンクデータを受信してコンピュータ３０に入力すると、ステップ３３０（図３参照）において、当該リンクデータの受信に基づき、ＹＥＳと判定される。すると、ステップ３３１において、当該リンクデータの表示処理がなされる（図６参照）。これに伴い、表示装置６０は、表示パネルにて、コンピュータ３０からのリンクデータを、図９にて地点情報として表示する。この地点情報は、上記所望地図上に○○美術館（図９にて符号ｃ参照）及び文字列データａとして表示される。
【００５３】
このように、閲覧データにおいて文字列データを含む地点情報を所望地図データにリンクさせて経路案内用リンクデータとして表示するようにしたので、閲覧データを利用して、その地点情報を経路案内に有効に活用することができる。
【００５４】
ここで、上述のように閲覧データの閲覧要求及びリンク要求があれば、上記リンクデータが自動的に作成されて送信される。換言すれば、ユーザとしては、特定の検索ツール等への面倒な入力操作を行うことなく、閲覧データの閲覧要求及びリンク要求だけすればよく、これによって、情報センターＣで自動的に上記リンクデータが作成されて送信される。従って、上記リンクデータの確保にあたり、ユーザにとって面倒な手入力操作という作業負荷が軽減され得る。
【００５５】
また、上述のように、当該自動車を上記案内経路に沿い目的地に向け走行させている状態において、上記リンクデータでもって上記地点情報が、図９にて示すごとく表示されると、この地点情報に基づき当該自動車を走行させることで目的地である○○美術館に到達できる。
（第２実施形態）
図１０〜図１２は本発明の第２実施形態の要部を示している。この第２実施形態では、上記第１実施形態にて述べたブラウザプログラムは、そのフローチャート（図３参照）とは異なり、ステップ３００とステップ３１０との間に図１０にてフローチャートにより示すごとくステップ３０１〜ステップ３５１を付加するように変更されている。
【００５６】
また、当該第２実施形態では、上記第１実施形態にて述べた情報センタープログラムは、そのフローチャート（図４参照）において、ステップ４００とステップ４１１との間に、図１１にて示すごとくステップ４０２〜ステップ４４０を付加するように変更されている。その他の構成は、上記第１実施形態と同様である。
【００５７】
このように構成した本第２実施形態において、上記第１実施形態におけるステップ３００の処理と同様に図１０のステップ３００にて、閲覧データの地点情報検索命令の送信処理がなされると、この地点情報検索命令が、上記第１実施形態と同様に送信されて、情報センターＣのセンターサーバ７０に入力される。これに伴い、図１１のステップ４００において、上記第１実施形態で述べた図４のステップ４００での処理と同様にＹＥＳと判定される。
【００５８】
上述のように図１０のステップ３００での処理が終了すると、ステップ３０１において、ウェブシステムＷに対する閲覧データの要求処理がなされる（図１２参照）。これに伴い、当該閲覧データの要求が、コンピュータ３０から無線通信装置５０及びネットワークＩを介しウェブシステムＷの無線通信装置１２０に送信される。
【００５９】
この送信に基づき、無線通信装置１２０が上記閲覧データの要求を受信してウェブサーバ１００に入力すると、この入力に基づき、当該ウェブサーバ１００が、図５のステップ５００において、上記第１実施形態にて述べた情報センターＣからの閲覧データ要求に代えて、ＹＥＳを判定し、ステップ５１０において、上記第１実施形態とは異なりナビゲーションシステムＮに対する閲覧データの送信処理を行う（図１２参照）。このため、当該閲覧データが、ウェブサーバ１００により記憶装置１１０から読み出されて、無線通信装置１２０及びネットワークＷ及びナビゲーションシステムＮの無線通信装置５０に送信される。
【００６０】
当該無線通信装置５０が上記閲覧データを受信してコンピュータ３０に入力すると、ステップ３４０（図１０参照）において、上記閲覧データの受信に基づきＹＥＳと判定される。
【００６１】
また、上述のように図１１のステップ４００でのＹＥＳとの判定に伴い、ステップ４０２においてナビゲーションシステムＮに対する閲覧データの要求処理（図１２参照）がなされると、この閲覧データの要求が、センターサーバ７０から無線通信装置９０及びネットワークＩを介しナビゲーションシステムＮの無線通信装置５０に送信される。
【００６２】
しかして、この無線通信装置５０がセンターサーバ７０からの閲覧データの要求を受信してコンピュータ３０に入力すると、ステップ３５０（図１０参照）においてＹＥＳと判定され、ステップ３５１において、情報センターＣに対する上記閲覧データの送信処理がなされる（図１２参照）。このため、当該閲覧データが、コンピュータ３０から無線通信装置５０及び情報センターＣの無線通信装置９０に送信される。
【００６３】
ついで、この無線通信装置９０が上記閲覧データを受信してセンターサーバ７０に入力すると、図１１のステップ４４０においてＹＥＳと判定され、上記第１実施形態と同様にステップ４１１において当該閲覧データに基づき地点情報検索処理がなされる（図１２参照）。
【００６４】
この処理後、上記第１実施形態と同様にステップ４２０でＹＥＳと判定されると、ステップ４２１にて上記第１実施形態にて述べたと同様のリンクのための閲覧データの修正処理がなされ、ステップ４２２にて当該修正閲覧データの送信処理のもと、この修正閲覧データが、上記第１実施形態と同様に送信されてナビゲーションシステムＮのコンピュータ３０に入力される。このため、図１０のステップ３１０において、上記第１実施形態と同様にＹＥＳと判定される。
【００６５】
上述のようにステップ４２２での処理及びステップ３１０でのＹＥＳとの判定がなされた後は、上記第１実施形態と同様の処理がなされる。
【００６６】
以上によれば、本第２実施形態では、上記第１実施形態とは異なり、ナビゲーションシステムＮがウェブシステムＷに対し閲覧データの要求を行うことで、当該ウェブシステムＷから閲覧データを受信し、情報センターＣがナビゲーションシステムＮに対し閲覧データの要求を行うことで当該ナビゲーションシステムＮから閲覧データを受信するようにしても、上記第１実施形態と同様の作用効果を達成し得る。
（第３実施形態）
図１３は、本発明の第３実施形態の要部を示している。この第３実施形態では、上記第２実施形態にて述べたブラウザプログラムが、図１０のフローチャートとは異なり、図１３にてフローチャートで示すごとくステップ３００とステップ３０１の処理順序を逆にするように変更されている。その他の構成は、上記第２実施形態と同様である。
【００６７】
この第３実施形態のように、ブラウザプログラムのステップ３００とステップ３０１の処理順序を逆にしても、上記第２実施形態と同様の作用効果を達成できる。
（第４実施形態）
図１４は、本発明の第４実施形態の要部を示している。この第４実施形態では、上記第２実施形態において、ブラウザプログラムが、図１０のフローチャートとは異なり、図１４にてフローチャートで示すごとくステップ３００の処理をステップ３４０の処理後に行うように変更されている。その他の構成は上記第２実施形態と同様である。
【００６８】
この第４実施形態のように、ステップ３００の処理をステップ３４０の処理後に行うようにしても、上記第２実施形態と同様の作用効果を達成し得る。
（第５実施形態）
図１５及び図１６は、本発明の第５実施形態の要部を示している。この第５実施形態では、上記第２実施形態において、ブラウザプログラムが、図１０及び図３にて示すフローチャートを、図１５にて示すフローチャートに変更して構成されている。その他の構成は上記第２実施形態と同様である。
【００６９】
このように構成した本第５実施形態において、ユーザがナビゲーションシステムＮの入力装置２０の操作により閲覧データの閲覧要求をコンピュータ３０に入力すると、このコンピュータ３０は、図１５のフローチャートに従いブラウザプログラムの実行を開始する。この開始に伴い、上記第２実施形態とは異なり、直接、ステップ３０１における閲覧データの要求処理がなされる（図１６参照）。この処理に基づき、当該閲覧データの要求が、上記第２実施形態にて述べたと同様にウェブシステムＷに送信される。
【００７０】
しかして、ナビゲーションシステムＮがウェブシステムＷから上記第２実施形態にて述べたと同様に閲覧データを送信（図１６参照）されると、図１５のステップ３４０において、当該閲覧データの受信に基づきＹＥＳと判定される。これに伴い、ステップ３４１において、当該閲覧データの表示処理がなされる。このため、表示装置６０が、コンピュータ３０からの閲覧データを表示する（図１６参照）。
【００７１】
然る後、ステップ３６０において、閲覧データの地点情報検索命令の要求の有無が判定される。現段階において、ユーザが入力装置２０の操作によりコンピュータ３０に閲覧データの地点情報検索命令の要求を入力していれば、ステップ３６０での判定はＹＥＳとなる。一方、ユーザによる閲覧データの地点情報検索命令の要求入力がなければ、ステップ３６０での判定はＮＯとなる。このように、閲覧データの地点情報検索命令の要求入力をユーザの意思に依ることとしたのは、ユーザが、閲覧データの地点情報検索命令の自動的要求を必要としないこともあるためである。
【００７２】
上述のようにステップ３６０での判定がＹＥＳになると、ユーザは閲覧データの地点情報検索命令を要求していることから、上記第２実施形態と同様に、ステップ３００の処理のもと、閲覧データの地点情報検索命令がコンピュータ３０から情報センターＣに送信される（図１６参照）。これに伴い、上記第２実施形態にて述べたと同様に図１１のフローチャートに従い、ステップ４００でのＹＥＳとの判定がなされ、ステップ４０２にて閲覧データの要求がナビゲーションシステムＮに送信される（図１６参照）。
【００７３】
しかして、このナビゲーションシステムＮにおいて上記第２実施形態にて述べたと同様に閲覧データの要求受信に基づきステップ３５０（図１５参照）にてＹＥＳと判定されると、この判定以後、上記第２実施形態と同様にステップ３５１以後の処理がなされる。
【００７４】
このように、本第５実施形態においては、上記第２実施形態とは異なり、閲覧データの地点情報検索命令の送信（ステップ３００参照）が、ユーザの意思に従いステップ３６０でＹＥＳと判定されたときに限られる。このため、上記第２実施形態にて述べた地点情報検索に基づく処理は、ユーザの希望する場合にのみなされ、この場合にのみ、上記第２実施形態にて述べた作用効果が達成される。その結果、ユーザが希望しない場合には、地点情報検索を自動的に行うことは余分な処理として禁止される。
（第６実施形態）
図１７〜図１９は、本発明の第６実施形態の要部を示している。この第６実施形態では、ブラウザプログラムは、上記第５実施形態にて述べた図１５のフローチャート中の両ステップ３５０、３５１を廃止して図１７にて示すフローチャートのごとく変更されている。
【００７５】
これに伴い、本第６実施形態では、情報センタープログラムが、図１１のフローチャートにおいて両ステップ４０２、４４０に代えて両ステップ４０３、４６０を両ステップ４００、４１１の間に付加して、図１８にて示すフローチャートのごとく変更され、
また、ウェブサーバプログラムが、図５のフローチャートにおいて、ステップ５１０の後に両ステップ５２０、５３０を付加して、図１９にて示すごとく変更されている。これは、本第６実施形態では、上記第５実施形態とは異なり、ナビゲーションシステムＮからの地点情報検索命令を前提として、情報センターＣからウェブシステムＷへ閲覧データの要求をするように変更されているためである。その他の構成は、上記第５実施形態と同様である。
【００７６】
このように構成した本第６実施形態では、上記第５実施形態と同様にナビゲーションシステムＮから情報センターＣに対し閲覧データの地点情報検索命令が送信（図１７のステップ３００参照）されると、情報センターＣでは、センターサーバ７０が、図１８のステップ４００にて上記第５実施形態と同様にＹＥＳと判定し、ステップ４０３にて、ウェブシステムＷに対する閲覧データの要求処理をする。これに伴い、当該閲覧データの要求がセンターサーバ７０から無線通信装置９０及びネットワークＩを介しウェブシステムＷの無線通信装置１２０に送信される。
【００７７】
すると、当該無線通信装置１２０が上記閲覧データの要求を受信してウェブサーバ１００に入力する。このため、このウェブサーバ１００は、図１９のステップ５２０にて、情報センターＣからの閲覧データの要求の受信に基づき、ＹＥＳと判定し、ステップ５３０にて、情報センターＣに対する閲覧データの送信処理を行う。これに伴い、当該閲覧データが、ウェブサーバ１００から無線通信装置１２０及びネットワークＷを介し情報センターＣの無線通信装置９０に送信する。
【００７８】
しかして、この無線通信装置９０が上記閲覧データを受信してセンターサーバ７０に入力すると、このセンターサーバ７０は、ウェブシステムＷからの閲覧データの受信に基づき、図１８のステップ４６０にてＹＥＳと判定し、ステップ４１１以後の処理を上記第５実施形態と同様に行う。そして、修正閲覧データが上記第５実施形態と同様にナビゲーションシステムＮに送信され、ステップ３１０（図１７参照）にてＹＥＳと判定され、ステップ３１１以後の処理が上記第５実施形態と同様になされる。
【００７９】
以上のように、ブラウザプログラム、情報センタープログラム及びウェブサーバプログラムが本第６実施形態にて述べたように変更されても、上記第５実施形態と同様の作用効果を達成し得る。
（第７実施形態）
図２０は、本発明の第７実施形態を示している。この第７実施形態では、上記第１実施形態にて述べたナビゲーションシステムＮは、情報センターＣ及びウェブシステムＷに加えて、ストリーミングシステムＳとの間にてネットワークＷを介し無線通信するように構成されている。
【００８０】
ストリーミングシステムＳは、ストリーミングサーバ１３０を備えており、このストリーミングサーバ１３０は、ストリーミングサーバプログラムの実行により、記憶装置１４０からのストリーミングデータの読み出しや無線通信装置１５０を介するデータの送受信のための処理等を行う。
【００８１】
記憶装置１４０には、上記ストリーミングサーバプログラムが上記ストリーミングデータと共に記憶されている。このストリーミングサーバプログラムは、ウェブシステムＷのウェブサーバプログラム（図５参照）と実質的に同様に構成されている。なお、当該ストリーミングデータは、動画や音響に基づくデータ等を含むもので、上記閲覧データに対応する。その他の構成は上記第１実施形態と同様である。
【００８２】
このように構成した本第７実施形態において、上記第１実施形態にて述べたと同様に情報センターＣが図４のステップ４０１での処理のもと閲覧データに代えてストリーミングデータの要求をするときは、このストリーミングデータの要求が、ストリーミングサーバ１３０により、無線通信装置９０からネットワークＷを介しストリーミングシステムＳの無線通信装置１５０に送信される。
【００８３】
すると、当該無線通信装置１５０は、上記ストリーミングデータの要求受信に基づきストリーミングサーバプログラムのステップ５００（図５参照）にて、ＹＥＳと判定し、ステップ５１０にて、ストリーミングデータの送信処理をする。これに伴い、ストリーミングデータが、ストリーミングサーバ１３０により無線通信装置１５０及びネットワークＩを介し情報センターＣの無線通信装置９０に送信される。
【００８４】
すると、この無線通信装置９０は、ストリーミングデータを受信してセンターサーバ７０に入力すると、このセンターサーバ７０は、ステップ４１０にて、閲覧データに代わるストリーミングデータの受信に基づき、ＹＥＳと判定し、ステップ４１１以後の処理を上記第１実施形態と同様に行う。
【００８５】
これにより、ウェブシステムＷからの閲覧データに加え、或いはこの閲覧データに代えてストリーミングシステムＳからのストリーミングデータを用いても、上記第１実施形態と同様の作用効果を達成し得る。
【００８６】
また、図２１及び図２２は、上記各実施形態の変形例を示している。この変形例では、上記各実施形態において作成される修正閲覧データに、図２１にて示すごとく、「地点に追加」を表すボタンｄ、「スケジュールに追加」を表すボタンｅ、及び「目的地に設定」を表すボタンｆが付加されている。以下、このように各ボタンｄ、ｅ、ｆを付加した修正閲覧データをボタン付加修正閲覧データという。また、ボタンｄは、日時を指定せずに地点を記憶装置４０に記憶するときにクリックされ、ボタンｅは、日時を指定して予定の行動を記憶装置４０に記憶するときにクリックされ、また、ボタンｆは、目的地等を設定し当該目的地へのルートを探索するときにクリックされる。
【００８７】
上述したボタン付加修正閲覧データは、ステップ４３２（図４参照）にて、リンク処理されてリンクデータとして作成される。そして、このリンクデータは、ステップ３３１（図３参照）での処理に基づき、表示装置６０により、図２１（ａ）にて示すごとくボタン付加修正閲覧データ画面として表示される。
【００８８】
しかして、ユーザが、入力装置２０の操作により当該ボタン付加修正閲覧データ画面上にてボタンｄをクリックすると、図２１（ｂ）にて示す詳細情報画面が、コンピュータ３０により表示装置６０に表示される。この詳細表示画面上にて、地点（××館）に関する追加情報（タイトル、メモ、電話番号、ホームページアドレスＵＲＬ）が、ユーザにより入力装置２０及びコンピュータ３０を介し入力される。然る後、「ＯＫ」ボタンをクリックすれば、上記追加情報を自動的に付加した詳細情報画面が、データとして記憶装置４０に記憶される。
【００８９】
また、ユーザが、ボタンｄに代えて、上述と同様にボタンｅをクリックすると、図２２（ａ）にて示す詳細情報画面が、コンピュータ３０により表示装置６０に表示される。この詳細情報画面上にて、日時を指定する情報が、ユーザにより入力装置２０及びコンピュータ３０を介し入力される。然る後、「登録」ボタンをクリックすれば、上記日時を自動的に付加した詳細情報画面が、、データとして記憶装置４０に記憶される。従って、上記日時において新たにスケジュールを作成できる。
【００９０】
これにより、スケジュールとして記憶しておけば、適切なタイミングで利用可能となり、便利である。
【００９１】
また、ユーザが、ボタンｄに代えて、上述と同様にボタンｆをクリックすると、図２２（ｂ）にて示す詳細情報画面が、コンピュータ３０により表示装置６０に表示される。この詳細情報画面上にて、目的地を設定する情報が、出発地や出発時間と共にユーザにより入力装置２０及びコンピュータ３０を介し入力される。然る後、「探索」ボタンをクリックすれば、上記目的地へのルートが自動的に探索される。
【００９２】
なお、本発明の実施にあたり、上記各実施形態に限ることなく、次のような種々の変形例があげられる。
（１）上記各実施形態に述べた文字列データは、閲覧データ中の地点情報に含まれるものに限ることなく、閲覧データに含まれる一般情報、小説、報道文、楽曲の題名や歌詞、理科年表等の過去や未来を含む年表、或いは地図画像データに含まれる地点特定文字で構成されていてもよい。
（２）また、情報センターＣは、当該自動車の適所に搭載し、ナビゲーションシステムＮに含めてもよい。
（３）また、ナビゲーションシステムＮに代えて、このナビゲーションシステムと同様に、携帯電話、コンピュータ、ＰＤＡ或いはウェブテレビジョン受像機を経路案内装置として採用し、この経路案内装置と、情報センターＣ、ウェブシステムＷ及びストリーミングシステムＳとの間にて上記各実施形態と同様の処理をしても、上記各実施形態と同様の作用効果を達成できる。
（４）また、上記各実施形態にて述べた記憶装置は、ハードディスクに限ることなく、フロッピー（登録商標）ディスク、ＣＤ−ＲＯＭ、メモリーカードやＤＶＤ等の記憶媒体であってもよい。
（５）また、上記各実施形態にて述べた無線通信装置は、ルータ、ランカード、モデムやブルーツース等であってもよい。
（６）また、ウェブシステムＷやストリーミングシステムＳは、これに限ることなく、配信データを配信する配信システムであってもよい。なお、当該配信データは、閲覧データやストリーミングデータを含む概念である。
（７）また、無線通信装置５０、９０、１２０、１５０に代えてそれぞれ有線通信装置を採用して実施してもよい。この場合、各無線通信装置５０、９０、１２０に代わる各有線通信装置或いは各無線通信装置５０、９０、１２０、１５０に代わる各有線通信装置は、有線によりネットワークＩを介し通信を行う。
【図面の簡単な説明】
【図１】本発明の第１実施形態を示すブロック図である。
【図２】図１のコンピュータにより実行されるナビゲーションプログラムを示すフローチャートである。
【図３】図１のコンピュータにより実行されるブラウザプログラムを示すフローチャートである。
【図４】図１のセンターサーバにより実行される情報センタープログラムを示すフローチャートである。
【図５】図１のウェブサーバにより実行されるウェブサーバプログラムを示すフローチャートである。
【図６】上記第１実施形態においてユーザ、ナビゲーションシステム、情報センター及びウェブシステムの間の処理関係を、図３及び図４の主要なステップの符号と共に、時間的経過で示すチャートである。
【図７】上記第１実施形態において地点情報を含む閲覧データの例示図である。
【図８】上記第１実施形態において地点情報を含む閲覧データのリンク可能な修正閲覧データを示す図である。
【図９】上記修正閲覧データを所望地図データとリンクさせたリンクデータを示す図である。
【図１０】本発明の第２実施形態におけるブラウザプログラムの要部フローチャートである。
【図１１】上記第２実施形態における情報センタープログラムの要部フローチャートである。
【図１２】上記第２実施形態においてユーザ、ナビゲーションシステム、情報センター及びウェブシステムの間の処理関係を、図１０及び図１１の主要なステップと共に時間的経過で示すチャートである。
【図１３】本発明の第３実施形態におけるブラウザプログラムの要部フローチャートである。
【図１４】本発明の第４実施形態におけるブラウザプログラムの要部フローチャートである。
【図１５】本発明の第５実施形態におけるブラウザプログラムのフローチャートである。
【図１６】上記第５実施形態においてユーザ、ナビゲーションシステム、情報センター及びウェブシステムの間の処理関係を時間的経過で示すチャートである。
【図１７】本発明の第６実施形態におけるブラウザプログラムのフローチャートである。
【図１８】上記第６実施形態における情報センタープログラムの要部フローチャートである。
【図１９】上記第６実施形態におけるウェブサーバプログラムを示すフローチャートである。
【図２０】本発明の第７実施形態を示すブロック図である。
【図２１】（ａ）は、上記各実施形態の変形例においてボタン付加修正閲覧データを示す図であり、（ｂ）は、ボタン付加修正閲覧データを示す画面上にてボタンｄをクリックしたときに表示される詳細情報画面を示す図である。
【図２２】（ａ）、（ｂ）は、ボタン付加修正閲覧データを示す画面上にて各ボタンｅ、ｆをそれぞれクリックしたときに表示される詳細情報画面を示す図である。
【符号の説明】
Ｃ…情報センター、Ｉ…ネットワーク、Ｎ…ナビゲーションシステム、
Ｓ…ストリーミングシステム、Ｗ…ウェブシステム、
１０…現在位置検出装置、２０…入力装置、３０…コンピュータ、
４０…記憶装置、５０…無線通信装置、６０…表示装置。
【図１】
2005043066.tif 000003
【図２】
2005043066.tif 000004
【図３】
2005043066.tif 000005
【図４】
2005043066.tif 000006
【図５】
2005043066.tif 000007
【図６】
2005043066.tif 000008
【図７】
2005043066.tif 000009
【図８】
2005043066.tif 000010
【図９】
2005043066.tif 000011
【図１０】
2005043066.tif 000012
【図１１】
2005043066.tif 000013
【図１２】
2005043066.tif 000014
【図１３】
2005043066.tif 000015
【図１４】
2005043066.tif 000016
【図１５】
2005043066.tif 000017
【図１６】
2005043066.tif 000018
【図１７】
2005043066.tif 000019
【図１８】
2005043066.tif 000020
【図１９】
2005043066.tif 000021
【図２０】
2005043066.tif 000022
【図２１】
2005043066.tif 000023
【図２２】
2005043066.tif 000024